(57)【要約】【課題】  手間が掛からずに、必要な測定項目毎に印字用紙を切り分けて使用できる眼科装置を提供する。【解決手段】  複数の眼特性を測定可能な複合型の眼科装置において、眼特性の測定データを所定の用紙に印字して出力すると共に、出力する用紙を切断する用紙切断機構を持つプリンタと、前記プリンタを制御して複数の眼特性の測定データを測定項目毎に配列した形式で用紙に印字させると共に、印字した用紙を測定項目毎に切り分けて出力させる制御手段と、を備える。【選択図】      図４
2005218524.tif 000002
【特許請求の範囲】
【請求項１】
複数の眼特性を測定可能な複合型の眼科装置において、眼特性の測定データを所定の用紙に印字して出力すると共に、出力する用紙を切断する用紙切断機構を持つプリンタと、前記プリンタを制御して複数の眼特性の測定データを測定項目毎に配列した形式で用紙に印字させると共に、印字した用紙を測定項目毎に切り分けて出力させる制御手段と、を備えることを特徴とする眼科装置。
【請求項２】
請求項１の眼科装置において、前記プリンタに印字出力させるための印刷指令信号を入力する信号入力手段と、前記印刷指令信号に基づいて前記プリンタからの印字出力毎に検査識別情報を決定する識別情報決定手段とを備え、前記制御手段は切り分けて出力する用紙毎に共通の前記検査識別情報を印字させるように前記プリンタを制御することを特徴とする眼科装置。
【請求項３】
請求項１の眼科装置において、複数の眼特性の測定データを印字した用紙を測定項目毎に切り分ける否か、又は測定項目毎の切り分けの組み合わせを設定する設定手段を設けたことを特徴とする眼科装置。
【請求項４】
複数の眼特性を測定可能な複合型の眼科装置において、測定された複数の眼特性の測定データを記憶可能な記憶手段と、眼特性の測定データを所定の用紙に印字して出力すると共に、出力する用紙を切断する用紙切断機構を持つプリンタと、該プリンタに印字出力させるための印刷指令信号を入力する信号入力手段と、前記プリンタの印字出力に際して、複数の眼特性の測定データを印字した用紙を測定項目毎に切り分ける否か、又は測定項目毎の切り分けの組み合わせを設定する設定手段と、前回の印字出力後から新たに前記記憶手段に記憶された各眼特性の測定データの有無と前記設定手段による設定信号とに基づいて、印字出力する測定項目の配列とその測定項目毎の切り分けを決定し、決定したデータに基づいて、前記プリンタを制御して前記測定データを用紙に印字させると共に印字した用紙を切断させる制御手段と、を備えることを特徴とする眼科装置。
【請求項５】
請求項４の眼科装置において、前記信号入力手段の印刷指令信号に基づいて印字出力毎に検査識別情報を決定する識別情報決定手段を備え、前記制御手段は切り分けて出力する用紙毎に共通の前記検査識別情報を印字させるように前記プリンタを制御することを特徴とする眼科装置。
【発明の詳細な説明】
【技術分野】
【０００１】
本発明は、被検眼の眼屈折力、角膜形状等の複数の眼特性を測定する機能を有する複合型の眼科装置に関する。
【背景技術】
【０００２】
被検眼の眼屈折力及び角膜形状等の眼特性を測定する機能を有する複合型の眼科装置が知られている（例えば、特許文献１参照）。この種の眼科装置においては、測定結果を所定の用紙に印字出力するプリンタを備えており、眼屈折力及び角膜形状の測定データの出力は、１枚の用紙に印字されて出力されていた。図７は、その印字例である。用紙には、上から検査番号、被検者の氏名を書き込めるスペース、測定した日時データがあり、続いて眼屈折力の測定データ、角膜形状の測定データが印字されている。
【特許文献１】特開平１０−２１６０８８号公報
【発明の開示】
【発明が解決しようとする課題】
【０００３】
ところで、眼科医院等の多くにおいては、プリンタから出力された測定結果の印字用紙をカルテに貼り付けて保管する方法を採用している。この場合、眼特性の測定項目毎にカルテに貼る場所が異なることがあるが、従来の複合型の眼科装置においては、これに配慮した対応が取られていなかった。
【０００４】
本発明は、上記従来技術に鑑み、手間が掛からずに、必要な測定項目毎に印字用紙を切り分けて使用できる眼科装置を提供することを技術課題とする。
【課題を解決するための手段】
【０００５】
（１）  複数の眼特性を測定可能な複合型の眼科装置において、眼特性の測定データを所定の用紙に印字して出力すると共に、出力する用紙を切断する用紙切断機構を持つプリンタと、前記プリンタを制御して複数の眼特性の測定データを測定項目毎に配列した形式で用紙に印字させると共に、印字した用紙を測定項目毎に切り分けて出力させる制御手段と、を備えることを特徴とする。
（２）  （１）の眼科装置において、前記プリンタに印字出力させるための印刷指令信号を入力する信号入力手段と、前記印刷指令信号に基づいて前記プリンタからの印字出力毎に検査識別情報を決定する識別情報決定手段とを備え、前記制御手段は切り分けて出力する用紙毎に共通の前記検査識別情報を印字させるように前記プリンタを制御することを特徴とする。
（３）  （１）の眼科装置において、複数の眼特性の測定データを印字した用紙を測定項目毎に切り分ける否か、又は測定項目毎の切り分けの組み合わせを設定する設定手段を設けたことを特徴とする。
（４）  複数の眼特性を測定可能な複合型の眼科装置において、測定された複数の眼特性の測定データを記憶可能な記憶手段と、眼特性の測定データを所定の用紙に印字して出力すると共に、出力する用紙を切断する用紙切断機構を持つプリンタと、該プリンタに印字出力させるための印刷指令信号を入力する信号入力手段と、前記プリンタの印字出力に際して、複数の眼特性の測定データを印字した用紙を測定項目毎に切り分ける否か、又は測定項目毎の切り分けの組み合わせを設定する設定手段と、前回の印字出力後から新たに前記記憶手段に記憶された各眼特性の測定データの有無と前記設定手段による設定信号とに基づいて、印字出力する測定項目の配列とその測定項目毎の切り分けを決定し、決定したデータに基づいて、前記プリンタを制御して前記測定データを用紙に印字させると共に印字した用紙を切断させる制御手段と、を備えることを特徴とする。
（５）  （４）の眼科装置において、前記信号入力手段の印刷指令信号に基づいて印字出力毎に検査識別情報を決定する識別情報決定手段を備え、前記制御手段は切り分けて出力する用紙毎に共通の前記検査識別情報を印字させるように前記プリンタを制御することを特徴とする。
【発明の効果】
【０００６】
本発明によれば、手間が掛からずに、必要な測定項目毎に印字用紙を切り分けて使用できる。また、カルテ等に測定項目毎の印字用紙を貼り付ける場合の対応や管理が容易になる。
【発明を実施するための最良の形態】
【０００７】
以下、本実施形態について図面に基づいて説明する。図１は、本発明に係る眼科装置の測定系の構成概略図である。本実施形態の眼科装置は、被検眼の眼圧、眼屈折力及び角膜形状（角膜曲率）を測定する機能を持つ。
【０００８】
図１において、測定ユニット１には、ノズル１３を持つ眼圧測定部１ａ、眼屈折力測定及び角膜形状測定部１ｂ、被検眼とノズル１３の間に挿脱可能に配置される反射ミラー９、及び反射ミラー１０が配置されている。眼圧測定が行われる時には、反射ミラー９が被検眼とノズル１３の間から離脱するとともに、眼圧測定部１ａが被検眼Ｅ方向へ移動し、ノズル１３が被検眼Ｅ前方に対向して配置される。また、眼屈折力測定及び角膜形状測定が行われる時には、反射ミラー９が被検眼とノズル１３の間に挿入された状態となり、測定光束が眼屈折力測定及び角膜形状測定部１ｂへと導かれる。なお、眼圧測定部１ａは、反射ミラー９より後方に退避した状態となっている。
【０００９】
なお、図１の眼科装置の配置構成では測定ユニット１のみを示したが、測定ユニット１を搭載して基台上を水平移動可能な移動台、測定ユニット１を上下に移動させる上下移動機構、被検者の顔を固定する顔支持ユニット、等を備えた構成である。これらの構成については、本発明とは関連が薄いため説明を省略する。
【００１０】
測定ユニット１に配置された各測定系を説明する。眼圧測定部１ａの空気（流体）吹付機構１０２について説明する。１１は空気圧縮用のシリンダである。１２はピストンであり、図示なきロータリソレノイドの駆動力によってシリンダ１１内を移動する。ピストン１２の移動によりシリンダ１１内で圧縮された空気は、ノズル１３から被検眼Ｅの角膜Ｅｃに向けて噴射される。１４はノズル１３を保持する透明な２つのガラス板である。１５はノズル１３の背後に設けられた透明なガラス板である。ガラス板１５の背後には、観察及びアライメントのための光学系が配置されている。１６はシリンダ１１内の圧力を検出する圧力センサである。
【００１１】
次に、眼圧測定部１ａの光学系について説明する。眼圧測定部１ａの前眼部観察光学系は、ノズル１３を保持するガラス板１４、光軸Ｌ１上に配置されたガラス板１５、対物レンズ２２、ダイクロイックミラー２３及びフィルタ２４、撮像素子であるＣＣＤカメラ２５により構成されている。光源２０による被検眼Ｅの前眼部像は、ＣＣＤカメラ２５により撮像される。なお、ダイクロイックミラー２３は、赤外光を透過し可視光を反射する特性を持つ。また、フィルタ２４は、後述する光源４０の光を透過しない特性を持つ。ＣＣＤカメラ２５により撮像された前眼部像は、後述するモニタ２６上に表示される。
【００１２】
３５は固視標投影用の可視光源であり、光源３５により照明された固視標３６の光は、投影レンズ３７，ダイクロイックミラー２３，対物レンズ２２，及びガラス板１５を介して、被検眼Ｅに向かう。
【００１３】
４０は角膜Ｅｃの変形状態検出用の赤外光源であり、光源４０による光は、コリメータレンズ４１により略平行光束とされて角膜Ｅｃに投影される。光源４０による角膜反射像は、受光レンズ４２，フィルタ４３，ハーフミラー４４及びピンホール板４５を介して、光検出器４６により受光される。これら光学系は、角膜Ｅｃが所定の変形状態（偏平状態）のときに光検出器４６の受光量が最大になるように配置されている。
【００１４】
次に、眼屈折力・角膜形状測定部１ｂの光学系について説明する。この測定部１ｂの前眼部観察光学系は、反射ミラー９，反射ミラー１０，ハーフミラー５１，ハーフミラー５２，結像レンズ５３，撮像素子であるＣＣＤカメラ５４から構成される。光源２０による被検眼Ｅの前眼部像は、ＣＣＤカメラ５４により撮像され、モニタ２６上に表示される。
【００１５】
６５は固視標投影用の可視光源であり、光源６５により照明された固視標６６の光は、投影レンズ６７、ハーフミラー５２，ハーフミラー５１，反射ミラー１０及び反射ミラー９を介して、被検眼Ｅに向かう。また、投影レンズ６７が光軸方向に移動することにより、被検眼Ｅの雲霧が行われる。
【００１６】
７０は眼屈折力測定用の赤外光源であり、光源７０による光は、回転セクター７１に設けられたスリットを通過し、投影レンズ７２，絞り７３，ハーフミラー７４，ハーフミラー５１，反射ミラー１０及び反射ミラー９を介して、被検眼Ｅの眼底に走査されながら投影される。眼底からの反射光は、反射ミラー９，反射ミラー１０，ハーフミラー５１，ハーフミラー７４，受光レンズ７５及び絞り７６を介して、複数対の受光素子を備える受光部７７により受光される。なお、眼屈折力測定のための光学系に関しては、詳しくは、本出願人による特開平１０−１０８８３６号公報を参照されたい。
【００１７】
８０は角膜形状測定用の赤外光源であり、光軸Ｌ１を中心に４個配置されている。この内の２つは装置の水平方向に、他の２つは装置の垂直方向に、それぞれ投影光軸が光軸Ｌ１に対して所定の角度で交わるように配置されている。光源８０からの光は、スポット絞り８１及びコリメーティングレンズ８２を介して角膜Ｅｃに投影される。光源８０による角膜反射像は、反射ミラー９，反射ミラー１０，ハーフミラー５１，ハーフミラー５２及び結像レンズ５３を介してＣＣＤカメラ５３に受光される。
【００１８】
図２は、本装置の制御系ブロック図を示す。制御部１００は、測定結果を専用の用紙に印字して出力するプリンタ１１０、及び測定データを記憶するメモリ１２０に接続されている。プリンタ１１０は、図３のように用紙１１１、紙送りローラ１１２、印字部１１３、及び紙切断機構を持つオートカッタ１１４により構成されている。印字部１１３が左右に移動することにより用紙１１１に測定結果等の必要な情報が印字され、一行分の印字が終了した段階で紙送りローラ１１２が回転し、プリンタ１１０の外部に用紙１１１が排紙されていく。排出された用紙１１１は、オートカッタ部１１４の駆動により切断される。また、制御部１００は現在の年月日、時刻を計測する時計機能１００ａを持つ。
【００１９】
また、制御部１００は、モニタ２６、ＣＣＤカメラ５４、ＣＣＤカメラ２５、光検出器４６、受光部７７、プリンタ１１０による紙出力を実行させるPRINTボタンや測定モード選択スイッチ等を備えるスイッチ部１２１等が接続されている。さらに、スイッチ部１２１は、測定結果をプリンタ１１０にて印字出力する際、印字用紙を各眼特性の測定項目毎に切断して（切り分けて）出力する分離出力モードか、切断せずに連結して出力する連結出力モードかを選択（設定）する出力選択スイッチ１２１ａを持つ。
【００２０】
以上のような構成を持つ眼科装置において、以下にその動作を説明する。まず、測定動作について簡単に説明する。眼屈折力・角膜形状・眼圧を連続測定する場合、先に眼屈折力及び角膜形状を測定するモードが実行された後、眼圧測定モードに自動的、もしくはモード選択スイッチによって切換える。
【００２１】
眼屈折力及び角膜形状を測定するモードでは、反射ミラー９がノズル１３の前に挿入された配置構成となり、眼屈折力・角膜形状測定部１ｂが持つＣＣＤカメラ５４により被検眼前眼部が撮像される。被検眼に対して測定ユニット１のアライメントを完了させた後、測定が自動的、または測定開始信号の入力により開始される。眼屈折力測定においては、制御部１００は、受光部７７の各受光素子からの出力信号に基づいて眼屈折力を求める。また、角膜形状測定においては、同じアライメント状態で、制御部１００は、ＣＣＤカメラ５４で撮像される光源８０による角膜反射像の位置に基づき角膜形状を求める。また、被検眼の右眼、左眼を測定する際に、左右の角膜頂点間の距離を測定ユニット１の左右方向の変位を検出することにより、瞳孔間距離も求められる。各測定結果は、メモリ１２０に記憶される。
【００２２】
眼屈折力及び角膜形状の測定によりそれぞれ予め定められた個数の測定結果が得られ、所定の測定終了条件が満たされると、制御部１００は眼圧測定モードへの切換信号を自動的に発し、眼圧を測定するモードに切換える。眼圧測定モードへの切換信号が入力されると、制御部１００は、図示なき眼圧測定用アライメント光学系にアライメント光学系を切換える。同時に、眼圧測定部１ａを被検眼Ｅ側に移動させ、ノズル１３の先端を測定ユニット１の前面からせり出させる。
【００２３】
被検眼Ｅに対する眼圧測定部１ａのアライメント状態が適正になると、制御部１００は、自動的にトリガ信号を発してロータリソレノイドを駆動させ、眼圧測定を実行する。ロータリソレノイドの駆動によりピストン１２が移動されると、シリンダ１１内の空気が圧縮され、圧縮空気がノズル１３から角膜Ｅｃに向けて吹き付けられる。角膜Ｅｃは、圧縮空気の吹き付けにより徐々に変形し、扁平状態に達したときに光検出器４６に最大光量が入射される。制御部１００は、圧力センサ１６及び光検出器４６からの出力信号とに基づき眼圧を求める。測定結果はメモリ１２０に記憶される。
【００２４】
上記のように求めた測定結果をプリンタ１１０から印字して出力する際、制御部１００はメモリ１２０に新たに記憶された眼屈折力・角膜形状・眼圧の測定データを呼び出し、予め設定されたフォーマットに基づいて印字出力するように測定データを配列する。なお、本実施例のフォーマットは、眼屈折力特性（右・左）、角膜形状特性（右・左）、眼圧特性（右、左）の順に出力されるようになっている。
【００２５】
ここで、出力選択スイッチ１２１ａが分離出力モードに選択されている場合、測定終了後、PRINTボタン１２１ｂによる印刷指令信号が制御部１００へ入力される（測定終了信号をトリガとして自動的に印刷指令信号が入力されることでもよい）と、プリンタ１１０から測定結果の紙出力が開始される。プリンタ１１０においては、印字部１１３により用紙１１１に測定結果等が印字され、紙送りローラ１１２により印字された用紙１１１が送り出され、測定項目毎の排出が終了した段階でオートカッタ部１１４によりその印字用紙１１１が切り分けられる。
【００２６】
図４は、分離出力モードにおける出力例である。切り分けられた印字用紙１５０ａには眼屈折力（ＡＲ）測定結果１５１、印字用紙１５０ｂには角膜形状（ＫＭ）測定結果１５２、印字用紙１５０ｃには眼圧（ＮＴ）測定結果１５３がそれぞれ印字されている。さらに印字用紙１５０ａのＡＲ測定結果１５１には、頂間距離ＶＤの設定値と、左右眼それぞれ３回の眼屈折力（Ｓ，Ｃ，Ａ）の測定値及び平均値、及び瞳孔間距離ＰＤの測定値等が印字されている。印字用紙１５０ｂのＫＭ測定結果１５２には、左右眼の角膜曲率半径Ｒの測定値及び平均値と、前記角膜曲率半径を屈折力に換算した値（ディオプタ値）及び平均値等が印字されている。また、印字用紙１５０ｃのＮＴ測定結果１５３には、左右眼それぞれ３回の眼圧の測定値及び平均値が印字されている。
【００２７】
また、各印字用紙１５０ａ，１５０ｂ，１５０ｃには、上記に加えて、共通の検査識別情報１５４がそれぞれ眼特性の測定値の上に印字されている。検査識別情報１５４には、どの被検者の検査が終了したかを区別するため等に利用される検査番号１５４ａが印字されている。この検査番号１５４ａは、測定終了後にPRINTボタン１２１ｂが押されると１回カウントされ、番号が１つ増加する。これは、制御部１００により管理され決定される。その他、検査識別情報１５４には、被検者名記入欄１５４ｂ、時計機能により計測された日時データ１５４ｃが印字されている。日時データ１５４ｃはPRINTボタン１２１ｂの印刷指令信号が入力されたときの時刻として決定される。共通の検査識別情報１５４を切り分けられた各眼特性ごとに印字させることにより、ＡＲ測定結果１５１、ＫＭ測定結果１５２、ＮＴ測定結果１５３が分離して出力されても、印字用紙毎に検査番号や日時等を確認できる。このため、被検者の判別や、切り分けられた印字用紙ごとに同時に印字出力されたものかの一致の判別が容易に行え、カルテ上での測定結果の管理等を的確に行うことができる。
【００２８】
なお、図４におけるＡ１、Ａ２は、プリンタ１１０のオートカッタ１１４による印字用紙１５０の切断部分を示す線である。Ａ１はＡＲ測定結果１５１の印字用紙１５０ａと、ＫＭ測定結果１５２との間の境界線であり、Ａ２はＫＭ測定結果１５２の印字用紙１５０ｂとＮＴ測定結果１５３の印字用紙１５０ｃとの間の境界線である。Ｂ１は、ＮＴ測定結果１５３の印字用紙１５０ｃとプリンタ１１０の用紙１１１との切断部分である。これらの切断位置は、メモリ１２０から呼び出された各測定項目の測定データの配列位置と、切り分けるか否かの設定とに基づいて決定される。
【００２９】
以上のようにすれば、複数の眼特性を測定し、眼特性ごとに並べられた測定結果（測定項目）を印字出力する際、自動的に各眼特性ごとに分離された状態で出力される。このため、カルテに各眼特性別に印字用紙を貼るような場合、はさみ等を使って切断する必要がなく、手間を省くことができ、検査における作業効率を向上させることができる。なお、上記の印字用紙の切断方法においては、切断線で完全に二つに切断するようにしたが、切断部分Ａ１、Ａ２の一部を連結させた状態（例えば、ミシン目の切断状態、あるいは少しだけ接続部分を残す状態）にしておき、検者により簡単に分離できるような切断方法とすれば、印字用紙がそれぞれ散らばらずに済む。このような切断も、切り分けに含まれるものである。
【００３０】
一方、出力選択スイッチ１２１ａにおいて連結出力モードが選択されている場合、図５のように、1枚の印字用紙１５６にはＡＲ測定結果１５１、ＫＭ測定結果１５２、及びＮＴ測定結果１５３が連結された状態で出力され、制御部１００は、切断線Ｂ１でのみオートカッタ１１４を駆動させる。また、連結出力モードにおいては、検査番号１５４ａ，被検者名記入欄１５４ｂ及び日時データ１５４ｃの検査識別情報１５４は、ＡＲ測定結果１５１の上にのみ印字される。このように眼特性ごとに並べられた測定結果を１枚の用紙としても出力できる。
【００３１】
なお、以上のような、眼屈折力・角膜形状・眼圧の他、さらに、角膜径、瞳孔径、瞳孔間距離などの眼特性を測定するような場合においても、各眼特性ごとの分離して出力する形式もできる。これらは個別に管理するものでなければ、上記のＡＲ測定結果１５１等の関連データとして付随させれば良い。
【００３２】
次に、本実施例のように、３種類以上の眼特性を測定可能な装置においては、切り離して出力する測定項目と連結して出力する測定項目の組み合わせを、さらに細かく設定できるようにした例について説明する。図６は、そのモニタ２６上の設定画面である。２００は、選択カーソルである。スイッチ部１２１にて、選択カーソル２００を動かし、「ＡＲ＋ＫＭ＋ＮＴ」を選択した場合、ＡＲ、ＫＭ及びＮＴの測定結果が連結された状態で出力される。また、「ＡＲ，ＫＭ，ＮＴ」を選択した場合、ＡＲ、ＫＭ、ＮＴの測定結果が各眼特性ごとに分離された状態で出力される。また、「ＡＲ＋ＫＭ，ＮＴ」を選択した場合には、ＡＲ、ＫＭの測定結果が一つの用紙に印字された状態で出力され、これと分離した形でＮＴの測定結果が出力される。以下同様である。つまり、設定画面上で「＋」の関係にあるものは一つの用紙に印字された状態で出力され、句点「，」の関係にあるものは分離した状態で出力される。このように測定項目が３種類以上の場合は、切り分けしと連結の組み合わせを任意に選択可能にすれば、多種多様のカルテにも対応することができ、検者のニーズに応じた印字出力を行うことができる。
【００３３】
以上においては、眼屈折力，角膜形状及び眼圧の３つの測定を実行した場合について説明したが、その内の1つ又は２つの眼特性の測定が実行された場合においては、次のようにプリンタ１１０の印字と切断が制御される。
【００３４】
例えば、分離出力モードが設定されている場合において、前回の印字出力後から眼屈折力及び角膜形状の測定のみが実行されると、メモリ１２０には眼屈折力及び角膜形状の新たな測定結果が記憶される。この段階でPRINTボタン１２１ｂによる印刷指令信号があると、制御部１００は分離出力モードの設定情報とメモリ１２０に新たに記憶された眼屈折力及び角膜形状の測定結果の情報とに基づき、プリンタ１１０に印字させる測定項目とその切り分けを決定し、そのデータに基づいてプリンタ１１０を制御する。すなわち、この場合には、図４におけるＡＲ測定結果１５１の印字用紙１５０ａ、ＫＭ測定結果１５２の印字用紙１５０ｂのみが印字されて切断される。眼圧の測定結果はメモリ１２０に新たに記憶されていないので、これは省略される。
【００３５】
また、別の例として、図６における設定画面にて、「ＡＲ＋ＫＭ，ＮＴ」の出力モード又は「ＡＲ＋ＫＭ＋ＮＴ」の出力モードが設定されている場合においては、前回の印字出力後から眼屈折力及び角膜形状の測定が行われた後に印刷指令信号があると、ＡＲ測定結果１５１とＫＭ測定結果１５２が１枚の用紙に印字されて出力される。すなわち、図５の出力結果に対して、ＮＴ測定結果１５３の部分が省略された形で出力される。同じく、「ＡＲ＋ＫＭ，ＮＴ」の出力モード又は「ＡＲ＋ＫＭ＋ＮＴ」の出力モードが設定されている場合において、眼屈折力の測定のみが行われた後に印刷指令信号があると、図４におけるＡＲ測定結果１５１の印字用紙１５０ａのみが出力される。
【００３６】
なお、メモリ１２０に記憶された測定結果は、PRINTボタン１２１ｂの印刷指令信号が入力され、測定結果が印字出力された段階、又は印刷指令信号があった後に何れかの新たな測定が実行された段階で、クリアされる。
【図面の簡単な説明】
【００３７】
【図１】本発明に係る眼科装置の測定系の構成概略図である。
【図２】本装置の制御系ブロック図を示したものである。
【図３】本発明に係るプリンタの構成を説明する図である。
【図４】分離出力モードにおける出力例である。
【図５】連結出力モードにおける出力例である。
【図６】本実施例の変容例におけるモニタの設定画面を示す図である。
【図７】従来の印字例を示す図である。
【符号の説明】
【００３８】
１ａ  眼圧測定部
１ｂ  眼屈折力測定及び角膜形状測定部
１００  制御部
１１０  プリンタ
１１１  用紙
１１４  オートカッタ
１２０  メモリ
１２１ａ  出力選択スイッチ
１２１ｂ  PRINTボタン
１５１  ＡＲ測定結果
１５２  ＫＭ測定結果
１５３  ＮＴ測定結果
１５４  検査識別情報
【図１】
2005218524.tif 000003
【図２】
2005218524.tif 000004
【図３】
2005218524.tif 000005
【図４】
2005218524.tif 000006
【図５】
2005218524.tif 000007
【図６】
2005218524.tif 000008
【図７】
2005218524.tif 000009